(57)【要約】【課題】  本発明は、機械的な干渉なく接点ばねの接点部分とプラス電極との接点圧を高め、電気的接点強度を向上できるようにする。【解決手段】  本発明は、電池収納室４に収納されたガム電池１０１のプラス電極１０１Ａと接触する端子板５と、当該端子板５をその一端側で開閉自在に保持する保持部５Ｃとからなる電池端子構造であって、半抜部２０をガム電池１０１のプラス電極１０１Ａと干渉しない位置に設けると共に、当該半抜部２０の凹部分の凹み量を増大することにより、端子板５の下面５Ｂから接点ばね２１の接点部分２１Ｂが突出する突出量を増大させ、接点部分２１Ｂとガム電池１０１のプラス電極１０１Ａとの接点圧を高くすることができると共に、半抜部２０とプラス電極１０１Ａとが干渉することについても防止することができる。【選択図】        図３
2006114389.tif 000002
【特許請求の範囲】
【請求項１】
電池収納室に収納された電池のプラス電極と接触する端子板と、当該端子板をその一端側で開閉自在に保持する保持手段とからなる電池端子構造であって、
上記端子板は、当該端子板の下面から突出するように付勢力が与えられ、上記プラス電極と所定の接点圧で電気的に接触させる接点部分を有する接点ばねと、
上記電池のプラス電極と接触させる上記接点部分を上記端子板の下面から所定量だけ突出させた状態に維持するため、上記端子板の上面から所定量だけ凹ませた凹部分と上記接点ばねの先端部分とを当接させた状態で保持するように形成された凹部形状でなる半抜部と
を具え、
上記端子板に形成された上記半抜部の凹部分の凹み量を増大すると共に、当該半抜部を上記電池のプラス電極と干渉しない位置に設けることにより、上記端子板の下面からの上記接点部分の突出量を増大させて当該接点部分と上記電池のプラス電極との接点圧を高くする
ことを特徴とする電池端子構造。
【請求項２】
上記端子板は、上記プラス電極が設けられた面よりもその全長が長く形成されることにより、上記半抜部を上記電池のプラス電極と干渉しない位置に設け、当該端子板の先端を上記プラス電極が設けられた面を超えた位置に存在する上記電池収納室の側壁の一部に当接させることにより当該側壁の一部をストッパとして用いる
ことを特徴とする請求項１に記載の電池端子構造。
【請求項３】
上記接点ばねは、上記半抜部の凹部分の凹み量を増大させて上記端子板の下面からの上記接点部分の突出量を増大させたことにより、上記電池のプラス電極と電気的に接触して上記端子板の上面から上記先端部が突出した場合にも当該端子板と一体に取り付けられた電池蓋の内周面側と干渉しない
ことを特徴とする請求項１に記載の電子端子構造。
【請求項４】
電池収納室に収納された電池のプラス電極と接触する端子板と、当該端子板をその一端側で開閉自在に保持する保持手段とからなる電池端子構造を有する電子機器であって、
上記端子板は、当該端子板の下面から突出するように付勢力が与えられ、上記プラス電極と所定の接点圧で電気的に接触させる接点部分を有する接点ばねと、
上記電池のプラス電極と接触させる上記接点部分を上記端子板の下面から所定量だけ突出させた状態に維持するため、上記端子板の上面から所定量だけ凹ませた凹部分と上記接点ばねの先端部分とを当接させた状態で保持するように形成された凹部形状でなる半抜部と
を具え、
上記端子板に形成された上記半抜部の凹部分の凹み量を増大すると共に、当該半抜部を上記電池のプラス電極と干渉しない位置に設けることにより、上記端子板の下面からの上記接点部分の突出量を増大させて当該接点部分と上記電池のプラス電極との接点圧を高くする
ことを特徴とする電池機器。
【発明の詳細な説明】
【技術分野】
【０００１】
本発明は、電池端子構造及び電子機器に関し、例えばポータブルミニディスクプレーヤに適用して好適なものである。
【背景技術】
【０００２】
近年、ポータブルミニディスクプレーヤにおいては、図６（Ａ）及び（Ｂ）に示すように本体部（図示せず）に設けられた電池収納室１００にガム型充電電池（以下、これをガム電池と呼ぶ）１０１を収納し、当該ガム電池１０１を収納した状態で蓋部１０２により電池収納室１００を閉じることにより、当該蓋部１０２の裏面に設けられた端子板１０３の接点ばね１０４と当該ガム電池１０１のプラス電極１０１Ａとを機械的及び電気的に接続させるようになされている。
【０００３】
一方、ポータブルミニディスクプレーヤは電池収納室１００の底部に設けられたマイナス端子１０５とガム電池１０１のマイナス電極１０１Ｂとを機械的及び電気的に接続させて当該ガム電池１０１と導通させることにより、ガム電池１０１の電力を内部回路（図示せず）へ供給するようになされている。
【０００４】
ここで端子板１０３は、図７（Ａ）及び（Ｂ）に示すように、板ばね状の接点ばね１０４がその下面１０３Ｂから僅かに突出した状態で取り付けられると共に、当該接点ばね１０４の２段階に折り曲げ加工された先端部分１０４Ａが端子板１０３の上面１０３Ａに形成された半抜部１０６の一部に当接された状態で引っ掛けられている。
【０００５】
この半抜部１０６は、プレス加工等により端子板１０３の上面１０３Ａから僅かに凹んだ状態に形成された凹部分であり、当該半抜部１０６の一部と接点ばね１０４の先端部分１０４Ａとが当接することにより、ガム電池１０１のプラス電極１０１Ａ（図６）と接触する当該接点ばね１０４の接点部分１０４Ｂが端子板１０３の下面１０３Ｂからこれ以上下方へ突出することがないように規制している。
【０００６】
この場合、端子板１０３には、ほぼ中央部に矩形状の貫通孔１０７が形成されており、接点ばね１０４の先端部分１０４Ａが当該貫通孔１０７を介して半抜部１０６の一部に引っ掛けられることにより、当該先端部分１０４Ａにより規制される範囲内で接点部分１０４Ｂが上下方向（矢印で示す）へストロークし得るようになされている。
【０００７】
従ってポータブルミニディスクプレーヤは電池ケース１００の蓋部１０２が閉じられたときに、端子板１０３における接点ばね１０４の接点部分１０４Ｂとガム電池１０１のプラス電極１０１Ａとが当接し、当該接点部分１０４Ｂが接点ばね１０４の付勢力に抗して上方向へ押し上げられるものの、当該付勢力により接点部分１０４Ｂがプラス電極１０１Ａに押し付けられることにより、ガム電池１０１のプラス電極１０１Ａと接点ばね１０４Ａとを機械的かつ電気的に接続させるようになされている。
【０００８】
これとは別に、バネ性が小さくしなやかに撓む可動接点としての電極接触部を有し、当該電極接触部により電池の移動に追従することにより電池との導通を確保する電池収容装置がある（例えば、特許文献１参照）。
【特許文献１】特開2002-141037公報
【発明の開示】
【発明が解決しようとする課題】
【０００９】
ところでかかる構成のポータブルミニディスクプレーヤにおいては、通常使用時には問題ないが、落下等の衝撃により蓋部１０２の端子板１０３や接点ばね１０４が変形してしまうと、当該接点ばね１０４の接点部分１０４Ｂとガム電池１０１のプラス電極１０１Ａとの電気的接点能力が低下して電源切れが生じてしまう。
【００１０】
このような問題を解決するために、接点ばね１０４の２段階に折り曲げ加工される位置をずらして端子板１０３の下面１０３Ｂからの接点部分１０４Ｂの突出量を増やすことにより、当該接点部分１０４Ｂと、ガム電池１０１のプラス電極１０１Ａとの接点圧を高めることが考えられる。
【００１１】
具体的には、図８（Ａ）に示すように、接点ばね１０４の折り曲げ加工位置を変更して端子板１０３の下面１０３Ｂからの接点部分１０４Ｂの突出量を増やし、上下方向へのストローク量を増大することにより当該接点部分１０４Ｂとプラス電極１０１Ａとの接点圧を高めることが考えられる。
【００１２】
しかしながらこの場合には、図８（Ｂ）に示すように、蓋部１０２が閉じられたときに、当該接点部分１０４Ｂがガム電池１０１のプラス電極１０１Ａによって押し上げられるが、その際、接点部分１０４Ｂのストローク量が増大した分だけ端子板１０３の上面１０３Ａから先端部分１０４Ａの突出量も増え、当該先端部分１０４Ａと蓋部１０２の内周側部分とが干渉を起こしてしまうという問題があった。
【００１３】
また図９（Ａ）に示すように、接点ばね１０４の先端部分１０４Ａが引っ掛けられる半抜部１０６の凹み量（以下、これを半抜量と呼ぶ）を増やし、その分だけ端子板１０３の下面１０３Ｂからの接点部分１０４Ｂの突出量を増やすことにより当該接点部分１０４Ｂとプラス電極１０１Ａとの接点圧を高めることが考えられる。
【００１４】
しかしながらこの場合にも、半抜部分１０６の半抜量が増加した分だけ当該半抜部１０６の下側突出部分１０６Ａが端子板１０３の下面１０３Ｂから突出することになり、図９（Ｂ）に示すように、蓋部１０２が閉じられたときに、当該半抜部１０６の下側突出部分１０６Ａとガム電池１０１のプラス電極１０１Ａとが干渉を起こしてしまうという問題があった。
【００１５】
本発明は以上の点を考慮してなされたもので、機械的な干渉なく接点ばねの接点部分とプラス電極との接点圧を高め、電気的接点強度を向上し得る電池端子構造及びその電池端子構造を有する電子機器を提案しようとするものである。
【課題を解決するための手段】
【００１６】
かかる課題を解決するため本発明においては、電池収納室に収納された電池のプラス電極と接触する端子板と、当該端子板をその一端側で開閉自在に保持する保持手段とからなる電池端子構造であって、端子板は、当該端子板の下面から突出するように付勢力が与えられ、プラス電極と所定の接点圧で電気的に接触させる接点部分を有する接点ばねと、電池のプラス電極と接触させる接点部分を端子板の下面から所定量だけ突出させた状態に維持するため、端子板の上面から所定量だけ凹ませた凹部分と接点ばねの先端部分とを当接させた状態で保持するように形成された凹部形状でなる半抜部とを具え、端子板に形成された半抜部の凹部分の凹み量を増大すると共に、当該半抜部を電池のプラス電極と干渉しない位置に設けることにより、端子板の下面からの接点部分の突出量を増大させて当該接点部分と電池のプラス電極との接点圧を高くするようにする。
【００１７】
本発明の電池端子構造では、半抜部を電池のプラス電極と干渉しない位置に設けると共に、当該半抜部の凹部分の凹み量を増大することにより、端子板の下面から接点ばねの接点部分が突出する突出量を増大させ、接点部分と電池のプラス電極との接点圧を高くすることができると共に、半抜部とプラス電極とが干渉することについても防止することができる。
【００１８】
また本発明においては、端子板の全長がプラス電極が設けられた電池の面よりも長く形成されることにより、半抜部を電池のプラス電極と干渉しない位置に設け、当該端子板の先端をプラス電極が設けられた面を超えた位置に存在する電池収納室の側壁の一部に当接させることにより当該側壁の一部をストッパとして用いることができるので、端子板が必要以上に電池のプラス電極に近づくことを防止して当該端子板及びプラス電極の破損を回避することができる。
【００１９】
さらに本発明においては、半抜部の凹部分の凹み量を増大させたことによって端子板の下面からの接点部分の突出量を増大させたため、電池のプラス電極と電気的に接触して端子板の上面から先端部が突出した場合にも当該端子板と一体に取り付けられた電池蓋と干渉させずに済み、当該干渉によって接点ばねを変形させてしまうことによる接点圧の低下を未然に防止することができる。
【００２０】
さらに本発明においては、電池収納室に収納された電池のプラス電極と接触する端子板と、当該端子板をその一端側で開閉自在に保持する保持手段とからなる電池端子構造を有する電子機器であって、端子板は、当該端子板の下面から突出するように付勢力が与えられ、プラス電極と所定の接点圧で電気的に接触させる接点部分を有する接点ばねと、電池のプラス電極と接触させる接点部分を端子板の下面から所定量だけ突出させた状態に維持するため、端子板の上面から所定量だけ凹ませた凹部分と当該接点ばねの先端部分とを当接させた状態で保持するように形成された凹部形状でなる半抜部とを具え、端子板に形成された半抜部の凹部分の凹み量を増大すると共に、当該半抜部を電池のプラス電極と干渉しない位置に設けることにより、端子板の下面からの接点部分の突出量を増大させて当該接点部分と電池のプラス電極との接点圧を高くするようにする。
【００２１】
本発明の電子機器では、半抜部を電池のプラス電極と干渉しない位置に設けると共に、当該半抜部の凹部分の凹み量を増大することにより、端子板の下面から接点ばねの接点部分が突出する突出量を増大させ、接点部分と電池のプラス電極との接点圧を高くすることができると共に、半抜部とプラス電極とが干渉することについても防止することができる。
【発明の効果】
【００２２】
本発明によれば、半抜部を電池のプラス電極と干渉しない位置に設けると共に、当該半抜部の凹部分の凹み量を増大することにより、端子板の下面から接点ばねの接点部分が突出する突出量を増大させ、接点部分と電池のプラス電極との接点圧を高くすることができると共に、半抜部とプラス電極とが干渉することについても防止し得る電池端子構造及び電子機器を実現できる。
【発明を実施するための最良の形態】
【００２３】
以下、図面について、本発明の一実施の形態を詳述する。
【００２４】
（１）ポータブルミニディスクプレーヤの全体構成
図１において、１は全体としてポータブルミニディスクプレーヤを示し、金属製ボディでなる底面パネル２及び上面パネル３によってその外観を構成し、当該底面パネル２に対して電池収納室４が取り付けられる。
【００２５】
電池収納室４には、端子板５が当該電池収納室４の端部４Ａを介して開閉自在に取り付けられると共に、当該端子板５には電池蓋６が一体に取り付けられる。なお電池収納室４には、電池カバーケース７も取り付けられる。
【００２６】
またポータブルミニディスクプレーヤ１は、底面パネル２に取り付けられた電池収納室４の隣にメイン基板８が取り付け固定されると共に、当該メイン基板８の周囲にはフレーム状の取付板９が取り付けられる。
【００２７】
ポータブルミニディスクプレーヤ１は、メイン基板８の上からメカデッキ１０が取り付けられ、さらにその上からメディアホルダー１１を介して最後に上面パネル３が取り付けられることにより完成形となる。
【００２８】
（２）電池端子構造
図６（Ａ）との対応部分に同一符号を付して示す図２において、電池収納室４はその内部空間にガム電池１０１を収納し、当該ガム電池１０１を収納した状態で電池蓋６により閉じられることにより、当該電池蓋６の裏面に取り付けられた端子板５の接点ばね２１と当該ガム電池１０１のプラス電極１０１Ａとを機械的及び電気的に接続させるようになされている。
【００２９】
一方、電池収納室４はその底部に設けられたマイナス端子２２とガム電池１０１のマイナス電極１０１Ｂとを機械的及び電気的に接続させて当該ガム電池１０１とメイン基板８とを導通させることによりガム電池１０１の電力をメイン基板８の回路（図示せず）へ供給するようになされている。
【００３０】
なお端子板５は、全長が従来の端子板１０３よりも所定量長く（この場合、ガム電池１０１のプラス電極１０１Ａが設けられている面よりも長く）形成されており、それに合わせて端子板５の先端方向における電池収納室４における側壁部分４Ａの一部を切り欠くことにより切欠部２５が形成されている。
【００３１】
また、図７との対応部分に同一符号を付して示す図３（Ａ）及び（Ｂ）のように、端子板５は、当該端子板５をその一端側で開閉自在に保持するための保持部５Ｃを有し、端子板５の下面５Ｂから板ばね状の接点ばね２１が所定量だけ突出した状態で取り付けられると共に、当該接点ばね２１の２段階に折り曲げ加工された先端部分２１Ａの一部が端子板５の上面５Ａに形成された半抜部２０に当接した状態で引っ掛けられるようになされている。
【００３２】
ここで図４に示すように接点ばね２１は、その形状については従来の接点ばね１０４（図７）と同じであるが、２段階に折り曲げ加工された先端部分２１Ａが従来の接点ばね１０４の先端部分１０４Ａよりも所定量長く形成されている。
【００３３】
これに対して端子板５（図３）では、ほぼ中央部分に先端部分２１Ａの長さに合わせて形成された所定サイズの矩形状でなる貫通孔３０が設けられており、そのため接点ばね２１の先端部分２１Ａの一部だけが半抜部２０に当接した状態で引っ掛けられ、接点ばね２１の接点部分２１Ｂを矢印で示す上下方向へストロークさせ得るようになされている。
【００３４】
この半抜部２０は、従来の半抜部１０６（図７）と同様、プレス加工等により端子板５の上面５Ａから所定量凹んだ状態に形成された凹部分であり、当該半抜部分２０と接点ばね２１の先端部分２１Ａとを当接させることにより、当該接点ばね２１の接点部分２１Ｂが端子板５の下面５Ｂからこれ以上下方へ突出することがないように規制している。
【００３５】
但し、この半抜部２０は、従来の半抜部１０６よりも半抜量が増やされているため、従来の半抜部１０６に比べて端子板５の上面５Ａからさらに凹んだ位置で先端部分２１Ａの一部が引っ掛けられることに加えて、当該半抜部２０の下側突出部分２０Ａが従来の半抜部１０６の下側突出部分１０６Ａよりもさらに下方へ突出することになる。
【００３６】
従ってポータブルミニディスクプレーヤ１は電池収納室４の電池蓋６が閉じられたときに、端子板５の接点ばね２１の接点部分２１Ｂとガム電池１０１（図１０）のプラス電極１０１Ａとが当接し、当該接点部分２１Ｂが接点ばね５の付勢力に抗して上方向へ押し上げられるものの、当該付勢力により接点部分２１Ｂがプラス電極１０１Ａに押し付けられることにより、ガム電池１０１のプラス電極１０１Ａと接点ばね２１とを機械的かつ電気的に接続させ得るようになされている。
【００３７】
このとき接点ばね２１の付勢力としては、半抜部２０の半抜量が従来の半抜部１０６よりも増やされ、端子板５の下面５Ｂからの接点部分２１Ｂの突出量が増加した分だけ、付勢力についても従来の接点ばね１０４よりも格段に強くなり、かくして当該接点部分２１Ｂとガム電池１０１のプラス電極１０１Ａとの接点圧を一段と強くなるように設定し得るようになされている。
【００３８】
また図５（Ａ）及び（Ｂ）に示すように、この端子板５の場合には、当該端子板５の全長を所定量長く形成したことに合わせて半抜部２０の位置を従来と比較してずらすようにしているため、ガム電池１０１のプラス電極１０１Ａと接点ばね２１の接点部分２１Ｂとが機械的に接触する際に、半抜部２０の下側突出部分２０Ａと当該プラス電極１０１Ａとが干渉することを未然に防止するようになされている。
【００３９】
また端子板５は、半抜部２０の半抜量が増やされているため、端子板５の下面５Ｂからの接点部分２１Ｂの突出量が増加し、接点部分２１Ｂとプラス電極１０１Ａとの接点圧が強くなるが、接点ばね２１の形状自体は従来の接点ばね１０４と同じであり、先端部分２１Ｂが長くなっているだけなので、電池蓋６により電池収納室４が閉じられたときに端子板５の上面５Ａからの先端部分２１Ａの突出量についても従来とほぼ同様であり、電池蓋６の内周側部分と当該接点部分２１Ｂとが干渉することがないようになされている。
【００４０】
さらに電池収納室４は、側壁部分４Ａの切欠部２５に端子板５の先端５Ｃを当接させるようにしたことにより、当該切欠部２５を端子板５のストッパとして用いることができ、かくして端子板５が電池収納室４の内部空間に必要以上入り込むことを防止し得ると共に、それにより当該端子板５が破損することを未然に防止し得るようになされている。
【００４１】
（３）動作及び効果
以上の構成において、ポータブルミニディスクプレーヤ１の電池端子構造としては、端子板５の半抜部２０の半抜量を増やして当該端子板５の下面５Ｂからの接点部分２１Ｂの突出量を増加させると共に、当該半抜部２０を端子板５の先端方向へずらした位置に設けることにより、当該接点ばね２１の接点部分２１Ｂが矢印方向へ可動するストローク量を増大させることができると共に、電池蓋６が閉じられたときに端子板５の半抜部２０と、ガム電池１０１のプラス電極１０１Ａとが干渉することを防止することができる。
【００４２】
従ってこの電池端子構造では、接点ばね２１の接点部分２１Ｂにおけるストローク量を増大させた分だけ当該接点部分２１ｂとガム電池１０１のプラス電極１０１Ａとが接触する際の接点圧を高め、電気的接点強度を格段に向上することができる。
【００４３】
また、この電池端子構造では、接点ばね２１の形状自体は従来の接点ばね１０４と同様であり、先端部分２１Ａの長さだけを伸ばしたことにより、電池蓋６により電池収納室４が閉じられたときに、接点ばね２１の先端部分２１Ａにおける端子板５の上面５Ａからの突出量が増えることがなく（図５（Ｂ））、当該先端部分２１Ａと電池蓋６の内周側部分とが衝突すること未然に防止することができる。
【００４４】
さらにこの電池端子構造では、端子板５の全長を所定量長く形成したことに合わせて電池収納室４の側壁部分４Ａに切欠部２５を設け、当該切欠部２５に端子板５の先端５Ｃを当接させることにより、当該切欠部２５を端子板５のストッパとして用いることができるため、端子板５が電池収納室４の内部空間に必要以上入り込むことや、それにより当該端子板５が破損することを確実に防止することができる。
【００４５】
さらにポータブルミニディスクプレーヤ１では、端子板５の全長を所定量長く形成したものの、電池収納室４の側壁部分４Ａにおける切欠部２５で端子板５の先端５Ｃを当接させることができるため、当該端子板５が電池収納室４の幅を超えて大型化するようなこともない。
【００４６】
以上の構成によれば、端子板５の半抜部２０の半抜量を増やし、接点ばね２１の接点部分２１Ｂが当該端子板５の下面５Ｂから突出する突出量を増加させると共に、当該半抜部２０を端子板５の先端方向へずらした位置に設けることにより、電池蓋６を閉じたときに端子板５の半抜部２０と、ガム電池１０１のプラス電極１０１Ａとが干渉することなく、接点ばね２１の接点部分２１Ｂとガム電池１０１のプラス電極１０１Ａとが接触する際の接点圧を高め、従来に比して電気的接点強度を向上することができる。
【００４７】
（４）他の実施の形態
なお上述の実施の形態においては、端子板５の全長を所定量長く形成し、それに合わせて半抜部２０をずらした位置に設けるようにした場合について述べたが、本発明はこれに限らず、半抜部２０の位置をずらしたときであっても端子板５に寸法的な余裕があれば当該端子板５の全長を所定量長く形成しなくても良い。
【００４８】
また上述の実施の形態においては、電池収納室４に収納する適用対象としてガム電池１０１を用いるようにした場合について述べたが、本発明はこれに限らず、電池のプラス端子と端子板５の接点ばね２１との接点圧を高める必要のある円筒型やボタン型等のその他の種々の形状でなる電池を適用対象とするようにしても良い。
【００４９】
さらに上述の実施の形態においては、本発明をポータブルミニディスクプレーヤ１に適用するようにした場合について述べたが、本発明はこれに限らず、ポータブルハードディスクプレーヤ、ポータブルＣＤプレーヤ、ＰＤＡ（Personal Digital Assistant）等の他の種々の携帯型の電子機器に本発明を適用するようにしても良い。
【産業上の利用可能性】
【００５０】
本発明の電池端子構造及び電子機器は、例えば電池のプラス端子と端子板の接点部分との接点圧を高める種々の用途に適用することができる。
【図面の簡単な説明】
【００５１】
【図１】ポータブルミニディスクプレーヤの全体構成を示す略線的斜視図である。
【図２】本発明の電池端子構造を示す略線図である。
【図３】本発明の端子板構造を示す略線図である。
【図４】接点ばねの形状を示す略線図である。
【図５】本発明における電気的接点強度向上構造の説明に供する略線図である。
【図６】従来の電池端子構造（１）を示す略線図である。
【図７】従来の端子板構造を示す略線図である。
【図８】従来の電気的接点強度向上方法（１）の説明に供する略線図である。
【図９】従来の電気的接点強度向上方法（２）の説明に供する略線図である。
【符号の説明】
【００５２】
１……ポータブルミニディスクプレーヤ、２……底面パネル、３……上面パネル、４……電池収納室、５、１０３……端子板、６……電池蓋、７……電池カバーケース、８……メイン基板、９……取付板、１０……メカデッキ、１１……メディアホルダー、２１、１０４……接点ばね、２１Ａ……先端部分、２１Ｂ……接点部分、２２、１０５……マイナス端子、２５……切欠部分、１０１……ガム電池、１０２……蓋部、１０６……半抜部、３０、１０７……貫通孔。
【図１】
2006114389.tif 000003
【図２】
2006114389.tif 000004
【図３】
2006114389.tif 000005
【図４】
2006114389.tif 000006
【図５】
2006114389.tif 000007
【図６】
2006114389.tif 000008
【図７】
2006114389.tif 000009
【図８】
2006114389.tif 000010
【図９】
2006114389.tif 000011